(57)【特許請求の範囲】
【請求項１】
サンプルディスペンサ（２）と販促用のユニット商品の陳列装置（４）との組み合わせであって、
ｉ）第１の端部（１４）および第２の端部（１６）と、それぞれが流動性物質を収容している複数の販促用のユニット商品を立たせるための開いた上部（３０）を有している上部区画（１８）と、上部区画（１８）の直下に配置された下部区画（３１）とを備えている細長いトレイ（１２）と、
ｉｉ）細長いトレイの第１の端部（１４）に当接して配置された送出ユニットと、試用の流動性物質を保持するリザーバ（４２）とを備えており、リザーバ（４２）が下部区画（３１）内に配置され送出ユニットに連通しているサンプルディスペンサ（２）を備え、
細長いトレイの第１の端部（１４）に配置され、リザーバ（４２）が下部区画（３１）から取り除かれたときに上部区画（１８）から下部区画（３１）へと移動させることができるドア（６０）をさらに備えることを特徴とする、サンプルディスペンサ（２）と販促用のユニット商品の陳列装置（４）との組み合わせ。
【請求項２】
送出ユニットが、ハウジング（３２）で形成され、ハウジング（３２）が、試用の流動性物質を送出するためのノズル（３８）と、機械式のポンプ（３４）と、ポンプ（３４）を作動させるためのレバー（３６）とを有しており、レバー（３６）がハウジング（３２）から外へと突き出している、請求項１に記載のサンプルディスペンサ（２）と販促用のユニット商品の陳列装置（４）との組み合わせ。
【請求項３】
リザーバ（４２）が、板紙箱（４４）によって囲まれた可撓な袋を備えており、可撓な袋が、試用の流動性物質が送出されるときに収縮可能である、請求項１または２に記載のサンプルディスペンサ（２）と販促用のユニット商品の陳列装置（４）との組み合わせ。
【請求項４】
上部区画（１８）が、１対の側壁（２０、２１）と、第１および第２の端壁（２６、２８）と、床（２４）とで構成されており、開いた上部（３０）が、床（２４）の反対側であって、側壁および端壁の上縁によって定められている、請求項１から３のいずれか一項に記載のサンプルディスペンサ（２）と販促用のユニット商品の陳列装置（４）との組み合わせ。
【請求項５】
床（２４）が、ばね（５４）によって前方へと付勢された支持パネル（５２）を案内するための一式の平行な軌道（４８、５０）をさらに備えている、請求項４に記載のサンプルディスペンサ（２）と販促用のユニット商品の陳列装置（４）との組み合わせ。
【請求項６】
上部区画（１８）および下部区画（３１）が、長さおよび幅において同じ広がりである、請求項１から５のいずれか一項に記載のサンプルディスペンサ（２）と販促用のユニット商品の陳列装置（４）との組み合わせ。
【請求項７】
細長いトレイ（１２）が、リザーバ（４２）を下部区画（３１）内に相互作用によって固定するためのくぼみ（４６）を外壁に沿って備えている、請求項１に記載のサンプルディスペンサ（２）と販促用のユニット商品の陳列装置（４）との組み合わせ。
【請求項８】
消費者が購入に先立って流動性の製品を試用できるようにするための方法であって、  （Ａ）請求項１から７のいずれか一項に記載のサンプルディスペンサ（２）と販促用のユニット商品の陳列装置（４）との組み合わせを用意するステップと、 （Ｂ）サンプルディスペンサ（２）と販促用のユニット商品の陳列装置（４）との組み合わせを、小売店の棚（６）に配置するステップと、 （Ｃ）流動性物質を各々が含んでいる複数の販促用のユニット商品を、細長いトレイ（１２）に配置するステップとを含んでいる、方法。
【発明の詳細な説明】
【技術分野】
【０００１】
本発明は、消費者が製品（特に、パーソナルケア用の液体製品）を小売店において購入前に試用できるようにする装置および方法に関する。
【背景技術】
【０００２】
小売店（特に、デパートおよび専門の化粧品店）は、消費者が製品を試すことができるよう、開封品を陳列するカウンターを有している。そのような製品のいくつかは、クリームを収容している開いた瓶である。より多くの場合には、試用サンプルが、ポンプ式のディスペンサボトルに入れられている。通常は、試用の管理はほとんどなされていない。細菌による汚染の可能性が高い。安全であることが明らかであるポンプ式のボトルでさえも、場合によっては、消費者が陳列場所でローション／クリームの芳香成分をより正確に嗅ぐことができるように、蓋が外されている。
【発明の概要】
【発明が解決しようとする課題】
【０００３】
消費者が試用の後で前向きに購入を考える場合に、製品の場所を突き止めることが難しいことがある。これは、サンプルディスペンサが購入できるユニット商品のすぐ隣に配置されていないために生じる。
【０００４】
また別の問題は、棚の空間の不足である。小売店は、棚の空間を、かさばりかつ収益を生まないサンプルディスペンサに使用するよりも、購入可能な製品のために使用することを好む。
【０００５】
仏国特許出願公開第２７１２４７１号明細書は、スプレイディスペンサとリザーバを備えるサンプルディスペンサの組み合わせを開示している。
【０００６】
したがって、本発明の主たる目的は、販売可能な製品を、消費者が購入前に製品を評価できるようにするサンプルディスペンサと同じ場所に配置することにある。さらには、本発明は、サンプルディスペンサの棚での専有面積を最小限にしようとする。
【課題を解決するための手段】
【０００７】
サンプルディスペンサと販促用のユニット商品の陳列装置との組み合わせであって、
（ｉ）第１の端部および第２の端部と、それぞれが流動性物質を収容している複数の販促用のユニット商品を立たせるための開いた上部を有している上部区画と、上部区画の直下に配置された下部区画とを備えている細長いトレイと、
（ｉｉ）トレイの第１の端部に当接して配置された送出ユニットと、試用の流動性物質を保持するリザーバとを備えており、リザーバが下部区画内に配置され送出ユニットに連通しているサンプルディスペンサとを備えているサンプルディスペンサと販促用のユニット商品の陳列装置との組み合わせが提供される。
【０００８】
本発明のさらなる利点および特徴が、以下の図面を検討することによって、よりよく理解されるであろう。
【図面の簡単な説明】
【０００９】
【図１】店舗の棚に置かれた本発明のサンプルディスペンサと販促用のユニット商品の陳列装置との組み合わせの斜視図であり、サンプル提供用ではない一式の関連の陳列トレイが隣に組み合わせられている。
【図２】図１と同様のサンプルディスペンサおよび販促用のユニット商品の陳列装置の斜視図であり、販促用のユニット商品は省略されている。
【図３】図２の線ＩＩＩ−ＩＩＩに沿った断面図である。
【図４】図２に示したディスペンサと陳列装置との組み合わせの平面図である。
【図５】ディスペンサと販促用のユニット商品の陳列装置との組み合わせの細長いトレイ部分から分離されるサンプル送出ユニットの斜視図である。
【図６】図５の線ＶＩ−ＶＩに沿った断面図である。
【発明を実施するための形態】
【００１０】
サンプルディスペンサの置き場所を関係する販促用の製品の陳列装置と同じ場所に配置することができる構造的な構成を見出した。
【００１１】
消費者が製品を評価できるだけでなく、サンプルと同一の製品で満たされた購入可能な容器を、すぐに手にすることができる。
【００１２】
本発明は、小売店の棚において、購入可能な製品を収容しているプラスチック瓶の列またはプラスチック瓶の列を有する他のトレイの傍らに配置されるように意図される。消費者が、購入に先立って、サンプルディスペンサからの少量の液体製品を試用することができる。
【００１３】
図１が、サンプルディスペンサ２と販売可能なユニット商品の陳列装置４との組み合わせを示している。ディスペンサと陳列装置との組み合わせが、小売店の棚６に、同一の製品を異なる容器のサイズおよび形式（例えば、ポンプおよび跳ね上げ式のキャップ）で保持している一連の４つの関連の陳列装置８に隣接して置かれる。これらの隣接の陳列装置は、サンプルディスペンサを有していない。代わりに、関連の陳列装置は、サンプルディスペンサ２が装備された陳列装置４に組み合わせて配置される。
【００１４】
図２に、サンプルディスペンサと販売可能なユニット商品の陳列装置との組み合わせのさらなる詳細が示されている。図１に示されている立てて並べられたユニット商品の容器１０は、分かり易くするために取り除かれている。陳列装置は、第１および第２の端部１４、１６を有する細長いトレイ１２を含んでいる。細長いトレイ１２は、１対の側壁２０、２２と、床２４と、第１および第２の端壁２６および２８と、側壁および端壁の上縁によって定められた開いた上部３０とを有する上部区画１８を特徴とする。
【００１５】
図３が、サンプルディスペンサ２の機械的な構成部品を最もよく示している。Ｕ字形のハウジング３２が、ポンプ３４を囲んでいる。ポンプは、ハウジングから突き出しているレバー３６によって作動させられる。送出ノズル３８が、ハウジングの上部フォーク４０から下向きに配置されている。試供用の流動性物質が、リザーバ４２として機能する可撓壁の細長い袋に収容されている。細長い矩形の板紙箱４４が、リザーバ４２を囲み、細長いトレイの下部区画３１にぴったりと挿入される。箱４４は、ポンプによって試供分が吸い出される方の端部とは反対側の端部の付近において、箱の側壁にスリットを備えている。スリットは、箱が下部区画へと挿入され、下部区画の壁のくぼみ４６を過ぎて移動するときに、箱の壁のわずかな圧縮を可能にする。これらのくぼみが、リザーバおよびサンプルディスペンサをトレイにしっかりと固定する。上述の部品を分離させたい場合、くぼみ４６を親指で内側へと押すことで、リザーバおよび周囲の箱が解放される。
【００１６】
図４は、上部区画１８を平面図で最もよく示している。床２４に沿って、一式の平行な軌道４８、５０が配置されている。製品の容器１０（図１に示されているが、図４には示されていない）が、トレイの上部区画の内部に並べられた関係で直立している。支持パネル５２が、つる巻きばね５４によって平行な軌道４８、５０に沿って可動に付勢されている。支持パネルは、複数の製品容器１０が互いにぴったりと当接して直立し、トレイの第１の端部１４に可能なかぎり近く配置されるように保証する。通常は、トレイは、４から４０個、好ましくは６から２５個、最適には８から１５個のいずれかの製品容器を収容することができる。
【００１７】
サンプルディスペンサと販売可能なユニット商品の陳列装置との組み合わせは、以下の方法で機能する。宣伝された製品の評価を望む消費者が、自身の手のひらを上向きにしてサンプルディスペンサのＵ字形のハウジング内に配置する。次いで、消費者の手が、レバー３６に上向きの圧力を加える。レバーが上方へと動くことで、ポンプ３４の下方への行程が始まり、結果として１回分のサンプルが可撓な袋のリザーバ４２からポンプへと下流に移動し、ポンプから導管５６を通過してノズル３８から出る。製品がリザーバ４２から排出されることで、可撓な袋の真空収縮が生じ、最終的に交換が必要になる。つぶれの機構により、底部の閉じた端部からポンプに向かって液体を運ぶための吸出し管が不要である。このシステムにおいて、袋の遠位端に配置されるサンプル製品が、排出される製品の最後の部分である。
【００１８】
試供物質の量を、箱４４の窓６２を介して監視することができる。好ましい実施形態においては、着色領域が、可撓な袋のリザーバ４２の下方に配置される。袋は、中身が排出されるにつれて平たくなり、より透明になる。したがって、窓６２から見た着色領域が、より強く見えるようになる。色の強さの程度が、残りの試供品の量を知らせる。
【００１９】
図５に、サンプルディスペンサの交換の方法が最もよく示されている。トレイの第２の端部の各側のくぼみ４６が親指によって押される。これが、トレイの第１の端部１４に対する係合からのサンプルディスペンサ２の解放を助ける。ハウジング３２、ポンプ３４、レバー３６、送出ノズル３８、および導管で構成される送出装置が、トレイの第１の端部から離れるように外へと引かれる。同時に、この動きによって、板紙箱が可撓な袋のリザーバと一緒に引き出される。入手可能である場合には、差し替え用のサンプル送出ユニット２が、上述の取り外しの手順と反対の作業にて挿入される。交換品がすぐには入手できない場合には、下部区画の第１の端部の開口５８を、上部区画１８の第１の端部に沿った格納位置から下方へと動かすことができるドア６０によって封じることができる。
【００２０】
本発明の考え方（ただし、これだけではない）は、送出を生じさせるためのレバー３６ならびにリザーバ４２が、送出ノズル３８よりも下方に配置されることである。この配置によれば、手を単一の動作にて容易にアクセスさせて、レバーを操作すると同時にノズルから滴下するサンプルを受け取ることができる。この種のシステムは、通常は、製品の槽をノズル／レバーの周囲に配置している。槽またはリザーバをポンプおよびノズル／レバーの下方へ移動させることによって、販促用のユニット商品を陳列できる空間が上端に残される。
【００２１】
図６が、リザーバ４２の詳細を最もよく示している。このリザーバは、中密度ポリエチレンからなる可撓なフォイルである細長い袋４１によって構成されている。袋は、互いに対向して袋の長さに沿って延びているガセット付きの側壁６４ａおよび６４ｂを特徴とする。壁２８に近い袋の遠位端が、袋をローションまたはクリームなどのサンプル物質で満たすために使用される。熱の印加によるクリンプによって、遠位端が封じられる。サンプル物質の送出は、壁２６およびポンプ３４に近い袋の前端において生じる。前端は、袋の壁へと熱または接着剤で取り付けられた出口導管を特徴とする。
【００２２】
つぶれ防止梁６８が、袋の上側および下側の壁７０および７２を支持するために、袋の内部に袋の長さに沿って配置されている。つぶれ防止の構造は、さまざまな異なる形状をとることができるが、すべての機能は、サンプル物質が袋から取り出されるときに、生じる真空によってサンプル物質の完全な排出を妨げかねない袋の断面のつぶれが生じないように保証することである。構造６８は、壁に開口を備えることができ、Ｔ字形であってもよく、および／または余分な構造用プラスチックを最小限にするために、プラスチックのワイヤフレームを有するだけでもよい。
【００２３】
袋の周囲に、細長い矩形の板紙箱４４が配置される。板紙の第２の壁７４が、箱４４の一方の側壁に沿って接着剤で貼り付けられる。第２の壁７４は、トレイの下部区画３１の壁の内側への良好な摩擦によるはまり込みを保証する。第２の壁７４は、リザーバの前端まで完全に延びているわけではなく、この端部に壁１枚の断面の分の専有面積を残している。前端における専有面積が小さくされていることで、箱をハウジング３２の収容スロット７６に係合させることができる。
【図１】
0005458095.tif 000002
【図２】
0005458095.tif 000003
【図３】
0005458095.tif 000004
【図４】
0005458095.tif 000005
【図５】
0005458095.tif 000006
【図６】
0005458095.tif 000007